(57)【特許請求の範囲】
【請求項１】
隔壁上に配置し且つ該隔壁に固着し得るようにされた第一の面を有する堅固な材料のブロックを備える多目的アンカーにおいて、
前記ブロックが、第一の面に対向する第二の面と、第一の面と第二の面との間を伸長する第三の面とを有し、
前記ブロックが、第二の面からブロック内に伸長する直線状の通路を有し、
該通路が、第一の軸線上に配置され且つ均一な断面を有し、
前記ブロックが、第三の面上に配置された入口から第二の軸線上のブロック内まで伸長し且つ通路を横断するリセス部を備え、
通路内に摺動可能に配置され且つリセス部を横断して伸長し得るようにされ、凹部が設けられた外面を有するピンと、
リセス部内に可動に配置され且つ第三の面上の入口を通じてブロックから外方に伸長し、通路を貫通して伸長し且つ通路と整合された開孔を有するプレートとを備え、
プレートの開孔がピンよりも大きく且つピンを受け入れ得るようにされ、
プレートと関係し且つブロックの外側のプレートと係合することにより手で作動可能なストッパ手段であって、プレートがピンの凹部と係合し且つピンが通路内で並進するのを防止する第一の位置と、ピンがプレートの開孔内に摺動可能に配置される第二の位置との間にてプレートが動くのを制限するストッパ手段を備える、多目的アンカー。
【請求項２】
請求項１の組合わせ体を備える多目的アンカーにおいて、ばね偏倚手段が、プレートとブロックとの間に設けられてプレートを第一の位置に付勢する、多目的アンカー。
【請求項３】
請求項２の組合わせ体を備える多目的アンカーにおいて、通路の第一の軸線及びリセス部の第二の軸線が、直角に交差し、
プレートが通路を横断し、プレートの開孔がピンの断面に少なくとも等しい断面を有し、前記開孔が、プレートの第二の位置にて通路と同軸状に整合され、
ピンの凹部が、ピンの長手方向軸線に対して直角な平面内に配置され且つプレートに対向し得るようにされたスロットであり、
該スロットが、プレートがピンのスロットと整合されたとき、プレートの対向する部分に係合し且つ該対向する部分を受け入れ得るようにされた、多目的アンカー。
【請求項４】
請求項３の組合わせ体を備える多目的アンカーにおいて、ピンの凹部が、ピンの長手方向軸線と同軸状の円筒状内面と、ピンの軸線に対して直角な円筒状面の両端から伸長する壁とを有し、ピンの周りを伸長する第一の溝である、多目的アンカー。
【請求項５】
請求項４の組合わせ体を備える多目的アンカーにおいて、ピンには、前記第一の溝を含む複数の溝が設けられ、該溝の各々が、ピンの周りを伸長し且つ該ピンの長手方向軸線に沿って前記溝の隣接する１つから隔てられる、多目的アンカー。
【請求項６】
請求項４の組合わせ体を備える多目的アンカーにおいて、プレートの開孔が、該プレートが第二の位置にあるとき、通路の第一の軸線上に中心がある第一の一部円筒状部分を有し、開孔の第一の一部円筒状部分が、ピンの直径よりも大きい直径を有し、
プレートの前記開孔が、リセス部の第二の軸線上に中心があり且つリセス部の内方で第一の一部円筒状部分の中心から変位された第二の一部円筒状部分を有し、リセス部の第二の一部円筒状部分の直径がピンの直径とピンの溝の円筒状面の直径との中間であり、
開孔の第二の一部円筒状部分がピンの溝を受け入れ得るようにされた、多目的アンカー。
【請求項７】
請求項１の組合わせ体を備える多目的アンカーにおいて、ブロックのリセス部が、第二の軸線に沿って第三の面からブロック内に伸長し、一対の両側壁と、第二の軸線に対して平行な一対の両端部壁とを有する四角形の空所を形成し、
該プレートが、四角形の形状をし空所の側壁及び端部壁とそれぞれ摺動可能に係合する一対の側壁と、一対の端部壁とを有し、これにより、プレートの動きが、リセス部の第二の軸線に沿った並進動作に制限される、多目的アンカー。
【請求項８】
請求項７の組合わせ体を備える多目的アンカーにおいて、プレートには、プレートの端部壁の間で且つ該端部壁に対して平行に配置された細長い開口部が設けられ、
ブロックに取り付けられ且つ開口部内に伸長するポストを備え、
プレートが、ポストがリセス部の入口から最も離れた開口部の一端に当接する１つの位置と、ポストがリセス部の入口に隣接する開口部の第二の端部と当接するように配置される第二の位置との間にてリセス部内で並進可能である、多目的アンカー。
【請求項９】
請求項８の組合わせ体を備える多目的アンカーにおいて、リセス部には、入口に隣接する拡張部分が設けられ、空所の端面から外方に伸長する一対の肩部を形成し、
前記プレートが、リセス部の拡張部分内に並進可能に配置され且つ入口から伸長する釦を有し、該釦がリセス部の拡張部分内で並進可能である、多目的アンカー。
【請求項１０】
請求項９の組合わせ体を備える多目的アンカーにおいて、リセス部の拡張部分の外方に伸長する肩部の各々には、リセス部の第二の軸線に対して平行な軸線上にボアが設けられ、
釦の対向面は、対向し且つ合わさるボアと、底部及び肩部の対向するボア内に両端にて固着された、一対の円筒状のコイルばねとを備える、多目的アンカー。
【請求項１１】
隔壁の上に配置され且つ隔壁に固着し得るようにされた全体として平坦な第一の面を有する堅固な材料のブロックを備える多目的アンカーにおいて、
前記ブロックが、第一の面に対して平行な全体として平坦な第二の面と、第一の面と第二の面との間を伸長する第三の面とを有し、
前記ブロックが、第一及び第二の面からブロックを貫通し且つ該第一及び第二の面に対し直角に伸長する細長い円筒状通路を有し、
前記ブロックが、第三の面からブロック内に伸長し且つ通路を横断するリセス部を有し、
該リセス部が、ブロックの第一及び第三の面に対して平行な長軸線を有する矩形の断面を備え、
前記リセス部が、第一及び第二の面に対して平行な長手方向軸線を有し、
リセス部内に並進可能に配置された矩形の断面を有する細長い部分と、第三の面から外方に伸長する一部分とを有し、通路に交差し且つ該通路の直径よりも大きい直径の円筒状開孔を有するプレートを備え、
前記開孔が、プレートの１つの並進可能な位置にて通路と同軸状に整合され、前記プレートが、該プレートを貫通して伸長し且つ該プレートの伸長軸線に対して平行に配置された細長い開口部を有し、
ブロックの上に取り付けられ且つブロックの第一及び第二の面に対して直角にリセス部を貫通して伸長し、プレートの細長い開口部内に並進可能に配置され且つ通路及び開孔が同軸状に整合しているとき、開口部の一端と当接するポストと、
プレートとブロックとの間に配置され、プレート開孔及び通路が同軸状に整合する位置からプレートを付勢するばねと、
通路内に摺動可能に配置され且つブロックの第一の面及び第二の面から外方に伸長する細長い円筒状ピンであって、その外周の周りを伸長する隔たった複数のスロットを有する円筒状ピンとを備え、
前記スロットの各々が、プレートがピンの前記スロットと整合されたとき、ピンの対向する部分を受け入れ且つ通路内のピンの更なる並進動作を拘束し得るようにされた、多目的アンカー。
【発明の詳細な説明】
【０００１】
本発明は、トラックの床に対する締め付けアンカー又は目的物を壁に取り外し可能に取り付けるアンカーのような、荷重を隔壁に固着する装置に関する。
【０００２】
【発明の背景】
少なくとも半世紀に亙って、発明者達は、トラックの床等に荷重を解放可能に取り付ける装置の必要性を認識しており、この目的のため、多岐に亙る装置にて対応している。かかる装置の例は次の通りである。
【０００３】
１９６３年にリー・ジェイ・クレイン（Ｌｅｅ  Ｊ．Ｃｒａｉｎ）に付与された、「引込み可能なロープフック（Ｒｅｔｒａｃｔａｂｌｅ  Ｒｏｐｅ  Ｈｏｏｋ）」という名称の米国特許第３，１０２，７０８号には、ピックアップトラックの頂部レールに取り付けられた跳ね上がりばね負荷式フックが開示されている。
【０００４】
１９６５年にアンソニー・エフ・セッチ（Ａｎｔｈｏｎｙ  Ｆ．Ｃｅｃｈ）に付与された、「荷重締結具（Ｌｏａｄ  Ｆａｓｔｅｎｅｒ）」という名称の米国特許第３，１７８，７９０号には、ストラップを溝形部材に固着するためその溝形部材の複数のスロットの１つに挿入される摺動可能な２つのばね負荷式フックプレートを備える解放可能なストラップアンカーが開示されている。
【０００５】
１９６６年にアイバン・エフ・ウェッブ（Ｉｖａｎ  Ｆ．Ｗｅｂｂ）に付与された、「ロープフック（Ｒｏｐｅ  Ｈｏｏｋ）」という名称の米国特許第３，２５９，３５３号には、ピックアップトラックの壁の頂部のかしめ開口部又は空所内に挿入される装置であって、ロープに係合する除去可能なフックを提供する装置が開示されている。
【０００６】
１９７１年にチャールズ・エッチ・ヤコブ（Ｃｈａｒｌｅｓ  Ｈ．Ｊａｃｏｂｓ）に付与された、「ピックアップかしめー空所連結リング（Ｐｉｃｋｕｐ  Ｓｔａｋｅ−Ｐｏｃｋｅｔ  Ｔｉｅ  Ｒｉｎｇ）」という名称の米国特許第３，５９５，１２５号には、フック又はリングを取り付けるためにピックアップトラックのかしめ開口部を利用する装置であって、この装置をかしめ空所内に固着するねじで位置決め可能な楔を有する別の装置が開示されている。
【０００７】
１９８６年にダビッド・アール・ポータ（Ｄａｖｉｄ  Ｒ．Ｐｏｒｔｅｒ）に付与された、「トラック床用の締め付けアンカー（Ｔｉｅ−Ｄｏｗｎ  Ａｎｃｈｏｒ  ｆｏｒ  Ｔｒｕｃｋ  Ｂｅｄ）」という名称の米国特許第４，６０７，９９１号には、リング又はボルトを取り付けるためピックアップトラックのかしめ空所を利用する別の装置であって、かしめ空所の壁の開口部にボルト頭部を保持するばね負荷式アームを使用する更に別の装置が記載されている。
【０００８】
１９９０年にジョン・エル・モリス（Ｊｏｈｎ  Ｌ．Ｍｏｒｒｉｓ）及びロバート・エル・マーチン（Ｒｏｂｅｒｔ  Ｌ．Ｍａｒｔｉｎ）に付与された、「引込み可能なクリート（Ｒｅｔｒａｃｔａｂｌｅ  Ｃｌｅａｔ）」という名称の米国特許第４，９４５，８４９号には、該クリートを引込んだ位置に保持する手操作可能な機構を備え、ボートの甲板のような平坦な面に取り付け得るようにされたばね負荷式の跳ね上がりフック又はクリートが記載されている。
【０００９】
従来技術の装置は、上記の例のように、ピックアップトラック又はボートの甲板のようなかしめ空所の如き特別な環境にて機能する設計とされている。更に、殆どの従来技術の装置は、ロープ、ベルト等のなどのような特別な荷重に対して使用し得る設計とされている。また、従来技術の装置の多くは、その設計により、軽荷重の目的への使用にのみ制限される。
【００１０】
【発明の概要】
本発明の１つの目的は、従来技術の装置の不利益な点を解消する、荷重又は対象物を定着する装置を提供することである。特に、本発明の１つの目的は、従来技術の装置よりも多機能であり且つ異なる用途に使用可能である定着装置を提供することである。
【００１１】
本発明の１つの目的は、従来技術の殆どの装置よりもその荷重からより容易に解放され、荷重を支持する突出しピン及びリングを除去することにより、直ちに妨害されない状態にすることができ、従来技術の装置よりも実質的により容易に使用することができ、また、従来技術の装置よりもより多機能である定着装置を提供することである。
【００１２】
本発明の目的は、ピックアップトラックの床のサイドレール又は壁のようなその他の表面に対し垂直に又は水平の何れかにて取り付けることができる新規なアンカーにより実現される。該アンカーは、金属又はプラスチック製であることが好ましい堅固なブロックを備え、該ブロックは、その上でアンカーが使用される面の上に配置し且つ該面に固着し得るようにされた第一の面を有している。また、該ブロックは、第一の面に対して全体として対向する第二の面と、第一の面と第二の面との間を伸長する第三の面とを備えている。細長い通路が第一の面から該第一の面に対して全体として直角にブロック内に伸長し且つ該ブロックを貫通して伸長することが好ましい。該通路は、均一な断面を有し、また円筒状であることが好ましい。該ブロックは、第三の面から伸長するリセス部も備えており、該リセス部は、第一の面に対し全体として平行な軸線を有する。該リセス部は、通路を横断し、プレートがリセス部内に可動に配置され且つ第三の面から外方に伸長する。該プレートは、通路を貫通して伸長し、通路の断面と少なくとも等しい寸法の開孔を有し、該開孔は、プレートの１つの位置にて通路と同軸状である。１つの好ましい構造において、該開孔は、通路の断面よりも僅かに大きく且つその断面の形状に全体として適合する１つの部分と、取り外し可能なピンと係合し得る形状とされたより小さい断面の第二の部分という２つの部分を備えている。
【００１３】
このピンは、ブロックの通路内に取り外し可能に且つ摺動可能に配置されると共に、プレートの開孔を貫通して伸長し、該ピンには、ピンの軸線に沿って配置された少なくとも１つ、好ましくは複数の隔たった凹部が設けられ、この凹部は、プレートがピンの凹部の１つと整合されたとき、プレートの対応する第二の部分を受け入れ得るようにされている。１つの好ましい構造において、該ピンは円筒状であり、凹部は、ピンの周りを同軸状に伸長し且つピンの長手方向軸線に沿って隔てられた円筒状溝の形態をしている。この構造において、開孔の第二の部分は、ピンの直径よりも小さいが、ピンの凹部の円筒状面の直径よりは大きい直径を有する一部円筒状である。
【００１４】
プレートは、リセス部内で可動であり、開孔がピンの凹部と整合することを許容し、この動きは、直線状の回転動作又は回動動作に機械的に制限することができる。１つの好ましい実施の形態において、リセス部は線形で、プレートはリセス部の軸線に沿って並進可能である。この実施の形態において、プレートはばね負荷式であり、開孔及び通路と同軸状に整合する位置外に付勢されている。
【００１５】
本発明の上記及びその他の目的並びに有利な点は、以下の説明及び添付図面から明らかになるであろう。
【００１６】
【発明の実施例の説明】
図面に図示するように、本発明のアンカーは、ピックアップトラックの床のサイドレール（図示せず）の頂部における水平面のような、隔壁表面に当接する恒久的な方法で取り付け得るようにされた第一の面１２を有するブロック１０を備えている。ピックアップトラックのサイドレールの頂部における水平面は全体として平坦であるため、表面１２は平坦として図示されているが、使用しようとする隔壁が平坦でないならば、その表面に適合する形状であることが好ましい。ブロック１０は、ボルト１６を受け入れる２つの穴１４を有しており、該ボルトは、ブロック１０及び隔壁を貫通し、隔壁の反対側の固着バー２０を貫通して伸長するねじ付き開孔１８に係合し、アンカーを隔壁の表面に固着することを目的とする。一対の薄い平坦な矩形のストリップ２２がブロックの表面１２と隔壁との間に配置し得るように設けられ、該ストリップは、ブロック１０の両側部２６、２８に隣接して配置されている。ストリップ２２の各々には、ボルト１６を受け入れ得るようにブロック１０の穴１４の１つと整合させた穴（図示せず）が設けられている。アンカーは、２つのボルト１６及び２つのバー２０を備えているが、明確化のため、図１には、その一方のみしか図示していない。
【００１７】
ブロック１０は、平坦で且つ第一の面１２に対して平行な第二の面２４と、ブロックの両側部にて面１２、２４の間を伸長する側面２６、２８とを備えており、面２４と側部２６、２８の間の端縁は、審美的な目的のため面取り加工されている。更に、ブロック１０は、互いに鏡像であり、面１２、２４と側面２６、２８との間を伸長する端面３０、３２を備えている。
【００１８】
ブロック１０は、表面３０の上の入口３５から伸長するリセス部３４を有している。該リセス部３４は、伸長軸線がブロック１０の中心軸線の上に配置された細長い矩形の第一の部分３６を有している。該リセス部３４は、断面にて、ブロック１０の第一の面１２に対し平行な長軸線と、側面２６、２８に対し平行な短軸線とを有している。更に、ブロック１０のリセス部３４は、端面３０における入口３５から伸長する第二の部分３８を有しており、このリセス部の第二の部分３８は、入口３５から第一の部分３６まで伸長している。リセス部の第二の部分３８は、第一の面１２に対し平行な対向した半円筒状壁４０、４２から伸長する細長い中心軸線を有し、第二の部分３８の伸長軸線は、通常、リセス部の第一の部分３６の中心の伸長軸線に直交している。半円筒状壁４０、４２は、リセス部の第一の部分３６の長手方向軸線から等しく隔てられて、リセス部３４の入口に対向するブロック１０の上に肩部４４、４６を形成する。
【００１９】
また、ブロック１０は、ブロック及び第二の面２４を貫通して第一の面１２の中心から直角に伸長する直線状通路４８も有しており、このように、該通路はリセス部３４の第一の部分３６を貫通して伸長している。通路４８は、アンカー上に荷重を押し付け得るようにピン５０を摺動可能に且つ取り外し可能に受け入れる。好ましくは、通路４８及びピン５０は、図示するように円筒状であるが、方形のようなその他の断面も採用可能である。しかしながら、通路及びピンが円筒状である場合に限り、ピン５０は通路４８内で回転可能である。ピン５０には、図１に図示するように、一端にてリング５２と、隔たった２つの周溝５４とが設けられている。溝５４の各々は、ピンの外面と同軸状の円筒状内面５６と、該円筒状内面５６とピン５０の表面との間を伸長する対向した平坦な半径方向壁５８とを有している。リング５２は、荷重をアンカーに対し固着し得るように連結ロープ又はボルト（図示せず）を受け入れることを目的としている。
【００２０】
ピン５０をブロック１０の上にて固着するため、ピンをブロック上にて解放可能に係止する手段がリセス部３４内に配置されている。ピンをブロック上にて解放可能に係止する手段は、リセス部３４の第二の部分３８と形状の点で適合するプッシュバー６２を有するアクチュエータ６０を備えており、該プッシュバーは、リセス部３４の第二の部分３８内に軸支され、該プッシュバーは、壁３０のリセス部３４の入口３５から外方に伸長する。また、解放可能な係止手段が、プッシュバーに取り付けられ且つリセス部３４の第一の部分３６内まで摺動可能に伸長する矩形のプレート６４も備えている。その伸長軸線に対して平行なリセス部３４の第一の部分３６の面は、プレート６４を軸支し且つ案内する働きをする。プレート６４は、ピン５０の壁５８の間の距離よりも僅かに薄い厚さを有し、該プレートは、円筒状通路４８に対向し且つプレートの長手方向中心軸線上に中心があるように配置された開孔６６を有し、該開孔はピン５０を受け入れるのに十分な寸法をしている。
【００２１】
開孔６６は、ピン５０の直径に少なくとも等しい直径であり且つ円筒状通路４８の直径に略等しいことが好ましい一部円筒状の第一の部分６８から成っている。また、開孔６６は、ピン５０の溝５４の円筒状面６６の直径とピン５０の直径との中間の直径を有する実質的に半円筒状の第二の部分７０も備えている。また、開孔６６の第二の部分７０は、プレート６４の長手方向中心軸線上に中心があるが、その中心は、プッシュバー６２から離れる方向に向けて開孔の第一の部分６８の中心から変位させてある。リセス部３４の第一の部分３６におけるプレート６４の１つの並進可能な位置において、開孔６６の第一の部分６８は通路４８と整合され、この並進可能な位置において、ピン５０は通路４８内で並進可能で且つ回転可能である。
【００２２】
Ｔ字形のアクチュエータ６０は、ブロック１０のリセス部３４から外方に動き得るように一対のヘリカルばね７２、７４によりばね偏倚されている。図３及び図４に図示するように、ブロック１０は、リセス部３４の第二の部分３８により形成された肩部４４、４６に一対の凹部７６、７８を有し、該凹部７６はリセス部３４の壁４０に隣接し、また、該凹部７６はリセス部３４の壁４２に隣接している。また、プッシュバー６２には、凹部７６、７８と同一の深さ及び直径のウェル８０、８２も設けられており、該ウェル８０、８２は、共通の軸線の上で凹部７６、７８とそれぞれ整合させてある。ばね７２は、一端にてプッシュバー６２の第一のウェル８０内に取り付けられ、他端にて、ブロック１０の肩部４４の凹部７６内に取り付けられ、ばね７４は、一端にてプッシュバー６２の第二のウェル８２内に取り付けられ、他端にて、ブロック１０の肩部４６の凹部７８内に取り付けられている。従って、アクチュエータ６０は、ブロック１０のリセス部３４から外方にプレート６４を並進させ、これにより、プレート６４の開孔６６の壁と通路４８内のピン５０との間に圧力を画定し得るようにばね偏倚されている。
【００２３】
プレート６４は、ピン５０の溝５６の壁５８の間の距離よりも僅かに薄い厚さであり、溝６０は、適正に配置されたならば、開孔６６に隣接するプレートの部分、特に、開孔の半円筒状の第二の部分７０を受け入れる。開孔６６に隣接するプレート６４の部分が溝５８の１つに配置されたとき、ピン５０は通路４８内で回転可能であるが、並進はできない。
【００２４】
アクチュエータ６０の垂下プレート６４には、プレート６４の中心の長軸線に沿って伸長するスロット８４が設けられており、該スロットは、ブロック１０のボア８８内に取り付けられたポスト８６を摺動可能に受け入れる。該ボア８８は、ブロック１０の第一の面１２と第二の面２４との間を伸長し且つリセス部３４の第二の部分３８を縦断する。ポスト８６はリセス部３４の第二の部分３８内に伸長し、並進可能なプレート６４のスロット８４内に取り込まれる。ポスト８６は、プレート６４がリセス部３４内に入る並進動作をプレート６４の開孔６６及び通路４８が整合する位置への動きに制限し、これにより、ピン５０を並進動作可能に解放する。アクチュエータが完全に押し付けられたとき、ピン５０は、ブロックの通路４８及びアクチュエータ６０の開孔６６を通じて容易に挿入することができ、プレート６４はピン５０の溝５４の１つと整合される。この位置にあるとき、プレート６４は、対向する溝５４内に着座し、開孔６８の部分７０がピン５０の円筒状面５６と係合する。アクチュエータバー６２を解放すると、ばね７２、７４はプレート６４を溝５４内に動き且つピン５０をブロック１０における所定の位置に固着するように付勢する。
【００２５】
ピン５０をブロック１０から取り外すためには、表面３０から突き出すアクチュエータ６０のプッシュバー６２の部分を手で押し付けてピン５０をアクチュエータ６０のプレート６４から解放し、これにより、ピン５０がブロック１０の通路４８及びアクチュエータ６０の開孔６６外に並進するようにする。
【００２６】
上記の開示の結果として、当業者は、上記に特に記載しなかった多くの構造及び適用例を案出し且つ形成することが可能であろう。例えば、当該発明者は、フック棚等のような取り外し可能に取り付ける構造体に対する垂直壁の上にアンカーを使用し、これにより、上述したアンカーの多機能性を活用することを考えている。このため、本発明は、上記の特定の開示内容に限定されず、特許請求の範囲によってのみ限定されるものである。
【図面の簡単な説明】
【図１】  本発明の方法にて製造されたアンカーの分解図である。
【図２】  ブロックを明確化のためにのみ図示する、図１のアンカーのブロックの平面図である。
【図３】  取り付けストリップが取り付けられた、図１、図２のブロックの側面図である。
【図４】  図３の線４−４に沿った、組み立てたアンカーの断面図である。
【図１】
0004334146.tif 000002
【図２】
0004334146.tif 000003
【図３】
0004334146.tif 000004
【図４】
0004334146.tif 000005